(57)【要約】      （修正有）【課題】既成の棺、葬祭用具に於いて、その製作に慢性的で安易な素材と技法の物が多く、趣のある物が少なく、この事から葬祭を行う、葬送者、葬祭業者の、棺、葬祭用具の選択肢が少なく、様々な不満が存在し、その製品の生産、製品の最終処分の際、使用した素材から生じる、環境負荷にも問題があった。【解決手段】棺、葬祭用の塗装、化粧に、通常の膠７にニベ６を添加し、ニベ膠を製作し、これを使用して、今までに無い塗装方法を行う、更に、ニベの性質を活用して、ニベの添加量を加減したニベ膠で、従来にない棺、葬祭用具の新たな接着方法を行い、様々な不満の解消と、趣豊な物を社会に提供する。【選択図】図１
2010063760.tif 000002
【特許請求の範囲】
【請求項１】
棺製作に際し、天然素材のニベを膠に添加して、ニベ膠を作製し、このニベ膠で塗装が必要と成る部材に、ニベ膠を施工し、部材にニベ膠下地を作り、この下地に、天然素材からなる塗料に、適宜ニベを添加し、顔料等で着色し、有色塗装用の天然ニベ膠塗料を作製し、この塗料で、下地に彩色を施し、有色下地を形成し、その下地に漆金蒔絵を施す方式。
【請求項２】
棺、葬祭用具、個々部材の組立て時の接着に、請求項１のニベを、膠に対し、ニベの割合を加減した、接着用ニベ膠を用いて、各部の接着を行う方式。
【発明の詳細な説明】
【技術分野】
【０００１】
本発明は、葬祭儀に使用する葬祭用品全般に関する発明である。
【背景技術】
【０００２】
従来の葬祭具全般に於いて、その塗装、接着時には、単に簡便、軽便さから、思考が乏しく、配慮にかけた、通俗的方法により施工を行っているので、個々の趣に乏しく、更に、高級感が乏しい製品が多く、故に、市場に於いては停滞と不満が、渦巻いている、更に、在来の製品は、環境負荷の多い石油系塗料、接着剤である事から、焼却すると、ダイオキシン、Co２、窒素ガスの排出が多く、現在の環境問題を真摯に考慮すれば、惰性は許されず、漫然と従来の方式、従来の部材の使用は破棄し、新たな工法、部材の使用は、時代の要請である。
【特許文献１】実用新案第３０８０２２６号
【特許文献２】実用新案第３０７９４２２号
【発明の開示】
【発明が解決しようとする課題】
【０００３】
在来の葬祭用具は、背景技術で記したように、通俗的な施工方法で様々な葬祭用具安易に製作しているので、必然的に通俗生産品には、同一な、剥離、分解、歪み等の事故が発生し、その寿命も短く、最終処分に於いて、既成の製品には、現代の最大課題である、環境への問題も多い事から、真に快い葬祭用具を求める要望が強く、現在まで、この課題を抱えた製品が市場の大概であり、葬祭に関わる関係業者、葬送者の不満が蔓延している。
【課題を解決するための手段】
【０００４】
本発明は、天然素材であるニベの持つ強力な接着能力を活用し、請求項１の如く、葬祭用具の下地処理にニベを膠に適宜添加し、このニベ膠を塗布し、従来に無い強固な塗装表現を可能とし、請求項２の如く、膠に対し、ニベの添加量を加減し、接着用ニベ膠を作製し、このニベ膠で葬祭用具の組立ての際、各部材の接着に使用し、問題の多い石油素材から極力離別し、新たな工法を可能とする工法。
【０００５】
解決手段その１、葬祭用具の塗装、化粧塗装を行う際、その各部部材の下地に、強力な接着力発揮する、ニベを添加したニベ膠で下地処理を施すと、その表面に後に塗布する漆等の塗料との親和性が良好となり、従来にない塗装表現、充分な塗装強度を確保する事が出来る、概念的な説明であるが、通常の膠を部材等に塗布すると、図1Aの１に、膠を塗布すると、図1のAの２様に乾燥硬化してない時は、膠を溶解した水分が乾燥するまでは体積があるが、乾燥硬化すると、図1のBの４の様に、水分の乾燥による体積の縮小で、乾燥表面には微細な亀裂が発生しその面は不連続で、下地としての効果と、強い強度を確保できない、これ対し、ニベを添加した膠では、図1Cの７の解けた膠の中に、図1のCの６のニベの分子がバラバラに溶融し、水分が乾燥すると、図1のDの９の膠の体積は縮小するが、その分、図1Dの１０の様に、ニベの分子が部材表面に鎖状的に満遍なく展開し、強度ある下地効果を発揮する、更に、ニベは乾燥後、膠と違い、3軸方向に作用する柔軟性があるので、ニベ膠下地に乾燥縮小が強い塗料を塗布しても、この柔軟性故に、後に塗布した塗料が剥離せず密着する、この下地処理を施せば、従来では不可能な、剥離、亀裂の危険性がある厚塗りが可能となり、今までに無い塗装表現が可能である、又、膠に対してニベの添加量を加減する事で、様々な部材、金属箔等の異種材との接着も可能である事から、現在までに無い塗装と、化粧表現を実現できる、下地処理と、塗装技法。
【０００６】
解決手段その２、解決手段１で、説明したように、ニベを適宜添加した、ニベ膠を使用すると、今までにない工法が可能と成る、図2のEの様に、地材１１，１２を部材を接着した時、ニベ膠が乾燥し、図2のFの様に、ニベの分子が双方の部材と強固に結合し、強度ある接着が出来る、又、ニベには乾燥しても柔軟性があるので、図2のGの様に、地材１７、１８が開く様に、斜め方向の応力、図2のHの様に接合した、薄板等を接合し曲げた際、曲げ応力にも対応するので、この性質を活用する事で、現在のまでの技法では、疑問視される接合が可能となり、新たな形体を追求できる、更に、ニベ膠は完全では無いが乾燥後、耐水溶性があるので、ニベの性質に充分留意し、膠にニベと漆を加えれば、相互作用で、耐水性がある強力な接着を可能とする、性質に注意すれば、水濡れの可能性がある、戸外で使用する物も製作可能な技法。
【発明の効果】
【０００７】
本発明は、天然素材であるニベの持つ性質を最大活用し、本技法で制作し、完成した製品は、従来の技法では満たされない、新たな趣と、強度豊な棺、葬祭具を提供することが可能な技法であり、巷に氾濫している既成の製品の不備、不満を解決し、意匠豊な製品を市場に提供でき、更に、製品製作に使用する素材に、天然素材の使用割合多い事から、製品の生産、最終処分に於いて、今時最大の課題である環境に対する負荷も微小な技法。
【実施例１】
【０００８】
図3の23の部材に、ニベ膠で下地処理を行い、その地に、図3の２４の様に、漆などの塗料で厚塗り、その表面に、ニベ膠で金箔等で化粧を行う、又、図3のKの様に、部材２８にニベ膠で金箔等を施す、更に、図3のLの30の地に、３１の金箔等を施し、更に、その表面に、33の木質材を施し、その表面に３２の異種の部材を施し化粧を行う。
【産業上の利用可能性】
【０００９】
本発明の、天然素材のニベを使用した、ニベ膠技法は、解決手段１、２で記したように、従来にない塗装、化粧、接着が可能で、この技法を活用すれば、存在意義のある、新たな製品を広く社会に展開でき、尚且つ、その生産に石油原料に頼る必要が無いので、環境にも充分留意した製品を提供出来、現在、存在する在来の棺、葬祭用具に纏わる不備、不満の解消と、製品の寿命がつき、製品が最終処分される際、処分による諸問題が少なく、容易な手段で処理が行え、社会的問題である環境負荷の様々な解決にもなり、葬祭業者、葬送者に安心と満足を提供出来。
【図面の簡単な説明】
【００１０】
【図１】部材に膠と、ニベ膠を塗布し状態を表現した図。
【図２】部材をニベ膠で接着した所を、模した図。
【図３】部材に、ニベ膠で下地処理し、その表面に、塗装と化粧を摸した図。
【符号の説明】
【００１１】
1−地材、2−塗布した膠、３−地材、4―乾燥した膠、5−地材、６−ニベの分子、７−膠、８−地材、９−乾燥し収縮した膠、１０−ニベの分子、１１−地材、１２−ニベの分子、13−地材、１４−ニベの分子、１５−地材、１６−地材、１７−地材、１８−ニベの分子、１９−地材、２０−ニベの分子、２１−地材、２２−地材。
【図１】
2010063760.tif 000003
【図２】
2010063760.tif 000004
【図３】
2010063760.tif 000005